【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
外部装置とネットワークで接続可能な情報処理装置において、
前記情報処理装置の操作画面を表示するディスプレイと、
前記情報処理装置に対する操作指示を受け付けるための受付部と、
前記外部装置から前記情報処理装置に対する操作指示を受け付ける受信手段と、
前記操作指示が機密情報を含む操作画面を表示する操作指示であるか否かを判別する第１の判別手段と、
前記第１の判別手段によって前記操作指示が前記機密情報を含む操作画面を表示する操作指示であると判別された場合に、当該機密情報を含む操作画面を表示する操作指示を前記受付部で受け付けたか又は前記受信手段で受け付けたかを判別する第２の判別手段と、
前記第１の判別手段によって前記操作指示が前記機密情報を含む操作画面を表示する操作指示でないと判別された場合に、前記外部装置に対して前記操作画面を表示するための画面データを送信するよう制御するとともに前記ディスプレイに前記操作画面を表示するように制御する第１の制御手段と、
前記第２の判別手段が前記機密情報を含む操作画面を表示する操作指示を前記受信手段で受け付けたと判別した場合に、前記外部装置に対して前記機密情報を含む操作画面を表示するための画面データを送信するよう制御するとともに前記ディスプレイに前記機密情報を含む操作画面を表示させないように制御し、前記第２の判別手段が前記機密情報を含む操作画面を表示する操作指示を前記受付部で受け付けたと判別した場合に、前記ディスプレイに前記機密情報を含む操作画面を表示するとともに前記外部装置に前記機密情報を含む操作画面を表示するための画面データを送信しないように制御する第２の制御手段と、
を備えることを特徴とする情報処理装置。
【請求項２】
前記第２の制御手段は更に、前記第２の判別手段が前記機密情報を含む操作画面を表示する操作指示を前記受信手段で受け付けたと判別した場合に、前記機密情報を含まない画面を前記ディスプレイに表示させるよう制御することを特徴とする、請求項１に記載の情報処理装置。
【請求項３】
前記第２の制御手段は更に、前記第２の判別手段が前記機密情報を含む操作画面を表示する操作指示を前記受付部で受け付けたと判別した場合に、前記外部装置に前記機密情報を含まない画面を表示するための画面データを送信するように制御することを特徴とする、請求項１又は２に記載の情報処理装置。
【請求項４】
前記第２の制御手段は更に、前記第２の判別手段が前記機密情報を含む操作画面を表示する操作指示を前記受付部で受け付けたと判別した場合に、前記ディスプレイに前記機密情報を含む操作画面が表示されていることを示す情報を前記外部装置に送信するよう制御することを特徴とする、請求項１又は２に記載の情報処理装置。
【請求項５】
前記第２の制御手段は更に、前記第２の判別手段が前記機密情報を含む操作画面を表示する操作指示を前記受付部で受け付けたと判別した場合に、前記機密情報を含まない画面を前記外部装置に表示することを指示する情報を前記外部装置に送信するよう制御することを特徴とする、請求項１又は２に記載の情報処理装置。
【請求項６】
更に、前記外部装置とのネットワークによる通信が切断したことを検知する検知手段を備え、
前記第２の制御手段が前記外部装置に前記機密情報を含む操作画面を表示するための画面データを送信し前記ディスプレイに前記機密情報を含む操作画面を表示させないように制御している場合において、前記検知手段が前記外部装置とのネットワークによる通信が切断したことを検知したことに応じて、前記第２の制御手段は前記ディスプレイに前記機密情報を含む操作画面を表示するよう制御することを特徴とする、請求項１乃至５のいずれか１項に記載の情報処理装置。
【請求項７】
情報処理装置の制御方法であって、
前記情報処理装置は外部装置とネットワークで接続可能で、前記情報処理装置の操作画面を表示するディスプレイと、前記情報処理装置に対する操作指示を受け付けるための受付部と、前記外部装置から前記情報処理装置に対する操作指示を受け付ける受信手段と、を備え、
前記操作指示が機密情報を含む操作画面を表示する操作指示であるか否かを判別する第１の判別工程と、
前記第１の判別工程で前記操作指示が前記機密情報を含む操作画面を表示する操作指示であると判別された場合に、当該機密情報を含む操作画面を表示する操作指示を前記受付部で受け付けたか又は前記受信手段で受け付けたかを判別する第２の判別工程と、
前記第１の判別工程で前記操作指示が前記機密情報を含む操作画面を表示する操作指示でないと判別された場合に、前記外部装置に対して前記操作画面を表示するための画面データを送信するよう制御するとともに前記ディスプレイに前記操作画面を表示するように制御する第１の制御工程と、
前記第２の判別工程で前記機密情報を含む操作画面を表示する操作指示を前記受信手段で受け付けたと判別された場合に、前記外部装置に対して前記機密情報を含む操作画面を表示するための画面データを送信するよう制御するとともに前記ディスプレイに前記機密情報を含む操作画面を表示させないように制御し、前記第２の判別工程で前記機密情報を含む操作画面を表示する操作指示を前記受付部で受け付けたと判別された場合に、前記ディスプレイに前記機密情報を含む操作画面を表示するとともに前記外部装置に前記機密情報を含む操作画面を表示するための画面データを送信しないように制御する第２の制御工程と、
を備えることを特徴とする情報処理装置の制御方法。
【請求項８】
請求項７に記載の情報処理装置の制御方法をコンピュータに実行させるための制御プログラム。
【手続補正２】
【補正対象書類名】明細書
【補正対象項目名】００１２
【補正方法】変更
【補正の内容】
【００１２】
上記目的を達成するため、本発明による情報処理装置は、外部装置とネットワークで接続可能な情報処理装置において、前記情報処理装置の操作画面を表示するディスプレイと、前記情報処理装置に対する操作指示を受け付けるための受付部と、前記外部装置から前記情報処理装置に対する操作指示を受け付ける受信手段と、前記操作指示が機密情報を含む操作画面を表示する操作指示であるか否かを判別する第１の判別手段と、前記第１の判別手段によって前記操作指示が前記機密情報を含む操作画面を表示する操作指示であると判別された場合に、当該機密情報を含む操作画面を表示する操作指示を前記受付部で受け付けたか又は前記受信手段で受け付けたかを判別する第２の判別手段と、前記第１の判別手段によって前記操作指示が前記機密情報を含む操作画面を表示する操作指示でないと判別された場合に、前記外部装置に対して前記操作画面を表示するための画面データを送信するよう制御するとともに前記ディスプレイに前記操作画面を表示するように制御する第１の制御手段と、前記第２の判別手段が前記機密情報を含む操作画面を表示する操作指示を前記受信手段で受け付けたと判別した場合に、前記外部装置に対して前記機密情報を含む操作画面を表示するための画面データを送信するよう制御するとともに前記ディスプレイに前記機密情報を含む操作画面を表示させないように制御し、前記第２の判別手段が前記機密情報を含む操作画面を表示する操作指示を前記受付部で受け付けたと判別した場合に、前記ディスプレイに前記機密情報を含む操作画面を表示するとともに前記外部装置に前記機密情報を含む操作画面を表示するための画面データを送信しないように制御する第２の制御手段と、を備えることを特徴とする。
【手続補正３】
【補正対象書類名】明細書
【補正対象項目名】００１３
【補正方法】変更
【補正の内容】
【００１３】
また、本発明による情報処理装置の制御方法は、前記情報処理装置は外部装置とネットワークで接続可能で、前記情報処理装置の操作画面を表示するディスプレイと、前記情報処理装置に対する操作指示を受け付けるための受付部と、前記外部装置から前記情報処理装置に対する操作指示を受け付ける受信手段と、を備え、前記操作指示が機密情報を含む操作画面を表示する操作指示であるか否かを判別する第１の判別工程と、前記第１の判別工程で前記操作指示が前記機密情報を含む操作画面を表示する操作指示であると判別された場合に、当該機密情報を含む操作画面を表示する操作指示を前記受付部で受け付けたか又は前記受信手段で受け付けたかを判別する第２の判別工程と、前記第１の判別工程で前記操作指示が前記機密情報を含む操作画面を表示する操作指示でないと判別された場合に、前記外部装置に対して前記操作画面を表示するための画面データを送信するよう制御するとともに前記ディスプレイに前記操作画面を表示するように制御する第１の制御工程と、前記第２の判別工程で前記機密情報を含む操作画面を表示する操作指示を前記受信手段で受け付けたと判別された場合に、前記外部装置に対して前記機密情報を含む操作画面を表示するための画面データを送信するよう制御するとともに前記ディスプレイに前記機密情報を含む操作画面を表示させないように制御し、前記第２の判別工程で前記機密情報を含む操作画面を表示する操作指示を前記受付部で受け付けたと判別された場合に、前記ディスプレイに前記機密情報を含む操作画面を表示するとともに前記外部装置に前記機密情報を含む操作画面を表示するための画面データを送信しないように制御する第２の制御工程と、を備えることを特徴とする。
【手続補正４】
【補正対象書類名】明細書
【補正対象項目名】００１４
【補正方法】変更
【補正の内容】
【００１４】
本発明によって、ディスプレイに表示した画像を外部に公開している状態で機密情報（セキュリティ情報）を表示する場合の相互のセキュリティを確保することができる情報処理装置及びその制御方法が提供される。
【手続補正５】
【補正対象書類名】明細書
【補正対象項目名】００５４
【補正方法】変更
【補正の内容】
【００５４】
ステップＳ１０１では、画面処理部４０１において構成した画面の内容にセキュリティ情報（機密情報）を含むコントロール（入力欄など）が存在するかどうかを判別する。例えば、ユーザＩＤを入力する欄、パスワード入力する欄、住所などの個人情報を入力する欄が操作画面の中に存在する場合には、セキュリティ情報を含むコントロールが存在するものと判定する。図５に示す操作画面はセキュリティ情報を含むコントロールが存在する画面の一例である。図５については後述する。
【手続補正６】
【補正対象書類名】明細書
【補正対象項目名】００７５
【補正方法】変更
【補正の内容】
【００７５】
ステップＳ２０３において、正規画面をクライアント側にのみ表示する際に、図３のステップＳ１１４においてキャプチャしておいた仮想ＶＲＡＭの画像を読み込み、ＶＲＡＭ１０４に書き込む。仮想ＶＲＡＭの画像は、クライアント３００のディスプレイ３０５に表示されている操作画面の画像である。ＶＲＡＭ１０４に画像書き込んだ後は、ステップＳ２０４に進み、ＶＲＡＭ１０４の内容をディスプレイ１０５に出力する。